(57)【要約】【課題】  複雑な機構を要することなく、自分撮りやセルフタイマ撮影時の画角合わせを容易に行うことができる携帯機器を提供する。【解決手段】  デジタルカメラ１０の背面にスライド部１４を設ける。スライド部１４の表側には第１液晶パネル６０を設け、スライド部１４の裏側には第２液晶パネル６４を設け、両面発光タイプのバックライト７０を各液晶パネルの間に設ける。第２液晶パネル６４はスライド部１４がスライドしてデジタルカメラ１０の本体１２外側に突出したときにレンズ２１の撮影方向に露出する。使用者は自分撮りやセルフタイマ撮影を行う場合には、スライド部１４をスライドさせて露出した第２液晶パネル６４に表示されたスルー画像を見ることにより画角合わせを行う。【選択図】  図２
2005051531.tif 000002
【特許請求の範囲】
【請求項１】
撮像手段を備えた本体と、
前記本体に対してスライド可能で、かつ一部が前記本体から露出するように前記本体内に収納されたスライド部と、
前記撮像手段の撮像方向と反対方向に表示面が向くように設けられた第１の表示手段と、
前記スライド部が前記本体内に収納された状態では露出せず、前記スライド部がスライドして前記本体の外側に突出した状態では前記撮像手段の撮像方向と同一方向に表示面が露出するように前記スライド部に設けられた第２の表示手段と、
を含む携帯機器。
【請求項２】
前記第１の表示手段を、前記スライド部の前記本体から露出した部分で、かつ前記第２の表示手段が設けられた側と反対側に設けた請求項１記載の携帯機器。
【請求項３】
前記第１の表示手段と前記第２の表示手段との間に、前記第１の表示手段及び前記第２の表示手段を照明するバックライトを更に設けた請求項２記載の携帯機器。
【請求項４】
前記スライド部が前記本体内に収納された状態では露出せず、前記スライド部がスライドして前記本体の外側に突出した状態では露出する入力手段を前記本体に更に設けた請求項１乃至請求項３のいずれか１項記載の携帯機器。
【請求項５】
前記本体の前記撮像手段が設けられた側と反対側にファインダ接眼部を設けると共に、前記スライド部が前記本体内に収納された状態において、前記第２の表示手段に表示された画像が前記ファインダ接眼部から目視可能となるように光学ユニットを更に設けた請求項１乃至請求項４のいずれか１項記載の携帯機器。
【発明の詳細な説明】
【技術分野】
【０００１】
本発明は、携帯機器に関し、特に、２つの表示手段を有するデジタルカメラ、携帯電話等の携帯機器に関するものである。
【背景技術】
【０００２】
従来のデジタルカメラにおいては、自分自身を撮影する自分撮りや、セルフタイマ撮影を行うときに容易に画角合わせができるように、レンズ回転機構或いは液晶モニタ回転機構を装備して、レンズとレンズが捉えた被写体を表示するための液晶モニタとを同一方向に向けることができるようにしている。
【０００３】
回転機構を装備したデジタルカメラ付き携帯情報端末としては、回動指示部によりカメラのレンズ部と表示部の表示面とを対向する状態に折り畳んで携帯することができるデジタルカメラ付き携帯情報端末が知られている（例えば、特許文献１参照。）。
【特許文献１】特開２０００−２７００６９号公報
【発明の開示】
【発明が解決しようとする課題】
【０００４】
しかしながら、上述した従来のデジタルカメラやデジタルカメラ付き携帯情報端末では、回転機構が複雑で強度を要し、装置自体が大型になってしまう、という問題がある。更にまた、自分撮りやセルフタイマ撮影を行う際、回転機構を使用してレンズ或いは液晶モニタを回転させてから画角合わせを行うため、撮影準備を完了するまでに面倒な操作を要する、という問題もある。
【０００５】
本発明は上記問題点を解決するためになされたものであり、複雑な機構を要することなく、自分撮りやセルフタイマ撮影時の画角合わせを容易に行うことができる携帯機器を提供することを目的とする。
【課題を解決するための手段】
【０００６】
上記目的を達成するために、本発明の携帯機器は、撮像手段を備えた本体と、前記本体に対してスライド可能で、かつ一部が前記本体から露出するように前記本体内に収納されたスライド部と、前記撮像手段の撮像方向と反対方向に表示面が向くように設けられた第１の表示手段と、前記スライド部が前記本体内に収納された状態では露出せず、前記スライド部がスライドして前記本体の外側に突出した状態では前記撮像手段の撮像方向と同一方向に表示面が露出するように前記スライド部に設けられた第２の表示手段と、を含んで構成されている。
【０００７】
本発明の携帯機器は、撮像手段を備えた本体と、スライド部とが設けられる。スライド部は、本体に対してスライド可能で、かつ一部が前記本体から露出するように本体内に収納される。
【０００８】
また携帯機器には、第１の表示手段が、撮像手段の撮像方向と反対方向に表示面が向くように設けられる。第１の表示手段は、撮像手段の撮像方向と反対方向に表示面が向くように設けられているため、例えば、通常の撮影時に撮像手段を介して被写体の動画像（スルー画像）を表示させ画角合わせを行うために用いることもできるし、撮影画像を再生したり、メニュー画面等を表示して携帯機器をセットアップするために用いることもできる。
【０００９】
また、第２の表示手段がスライド部に設けられる。第２の表示手段は、スライド部が本体内に収納された状態では露出しないが、スライド部がスライドして本体の外側に突出した状態では、第２の表示手段の表示面が撮像手段の撮像方向と同一方向に露出する。
【００１０】
この第２の表示手段に撮像手段を介して被写体のスルー画像を表示させるようにすれば、自分撮りやセルフタイマ撮影を行うときに、スライド部をスライドさせるだけで、撮像手段を自分自身に向けた状態で第２の表示手段に表示されたスルー画像を目視することができる。従って、複雑な機構を要することなく、容易に画角合わせを行うことができる。
【００１１】
なお、このとき、第２の表示手段に左右反転画像を表示するようにしてもよい。これにより、使用者は鏡を見るような感覚で画角合わせを行うことができる。
【００１２】
また、前記第１の表示手段を、前記スライド部の前記本体から露出した部分で、かつ前記第２の表示手段が設けられた側と反対側に設けることもできる。
【００１３】
これにより、第１の表示手段は常に露出されるため、使い勝手が向上する。また、第１の表示手段と第２の表示手段とが背中合わせの状態で設けられるため、第１の表示手段及び第２の表示手段を、少ない構成部材で低コストに実現することが可能になる。
【００１４】
例えば、第１表示手段及び第２表示手段を透過型液晶ディスプレイとして構成する場合には、前記第１の表示手段と前記第２の表示手段との間に、前記第１の表示手段及び前記第２の表示手段を照明するバックライトを更に設けることもできる。
【００１５】
これにより、バックライトを第１の表示手段と第２の表示手段とで共用できるため、携帯機器を小型化でき、製造コストを削減することができる。
【００１６】
なお、第１の表示手段及び第２の表示手段を、反射型液晶ディスプレイとして構成する場合であっても、例えば、反射型液晶ディスプレイを構成する表示基盤と背面基盤とが等価に扱われるように構成することにより、１枚の液晶ディスプレイで両面表示（第１の表示手段及び第２の表示手段）を実現することが可能となる。
【００１７】
前記スライド部が前記本体内に収納された状態では露出せず、前記スライド部がスライドして前記本体の外側に突出した状態では露出する入力手段を前記本体に更に設けることもできる。
【００１８】
入力手段は、例えば、基本的な撮影操作に関連せず、頻繁には使用されない、煩雑な操作を要する入力手段とすることができる。従って、スライド部を前記本体内に収納しておけば、基本的な撮影操作には不要な入力手段を隠しておくことができるため、操作に不慣れな使用者に対しても、簡便な操作性を提供することができる。
【００１９】
前記本体の前記撮像手段が設けられた側と反対側にファインダ接眼部を設けると共に、前記スライド部が前記本体内に収納された状態において、前記第２の表示手段に表示された画像が前記ファインダ接眼部から目視可能となるように光学ユニットを更に設けることもできる。
【００２０】
第２の表示手段に撮像手段を介して被写体のスルー画像を表示させるようにすれば、使用者は、環境光の明るさによらずファインダ接眼部から被写体画像を目視することができ、容易に画角合わせを行うことができる。また、１つの表示手段（第２の表示手段）により、上述したように自分撮りやセルフタイマ撮影を行う場合の画角確認のための機能と、通常の撮影を行う場合のファインダとしての機能とを実現できるため、両機能にかかるコストを低減することができる。
【発明の効果】
【００２１】
以上説明した如く本発明によれば、撮像手段の撮像方向と反対方向に表示面が向くように設けられた第１の表示手段とは別に、第２の表示手段を、携帯機器本体に対してスライド可能なスライド部が本体内に収納された状態では露出せず、スライド部がスライドして本体の外側に突出した状態では撮像手段の撮像方向と同一方向に表示面が露出するように設けたため、複雑な機構を要することなく、自分撮りやセルフタイマ撮影時の画角合わせを容易に行うことがことができる、という優れた効果を奏する。
【発明を実施するための最良の形態】
【００２２】
以下、図面を参照して、本発明の実施の形態を詳細に説明する。
【００２３】
なお以下では、本発明の携帯機器をデジタルカメラに適用した場合について説明する。
【００２４】
［第１の実施の形態］
図１は、本実施の形態に係るデジタルカメラ１０の外観的な構成を示す構成図である。
【００２５】
図示されるように、デジタルカメラ１０は、本体１２と、本体１２の背面側に収納され、本体１２に対してスライド可能に設けられたスライド部１４とにより構成されている。
【００２６】
本体１２の上面には、撮影を実行する際に押圧操作されるレリーズボタン（所謂シャッター）５６ａが備えられている。本体１２の正面には、被写体像を結像させるためのレンズ２１が備えられている。本体１２の背面には、撮影時に被写体像のズーミング（拡大及び縮小）を行うときに操作されるズームボタン５６ｂが備えられている。また、本体１２の背面には、スライド部１４が本体１２の内側に収納されているときには露出しないが、スライド部１４がスライドすることにより露出する、操作ボタン５６ｃ、５６ｄ、５６ｅ、及び５６ｆ（図２参照）が備えられている。
【００２７】
Ｂ−Ｂ’線におけるスライド部１４の断面図に示されるように、スライド部１４には、第１液晶パネル６０、第２液晶パネル６４、及びバックライト７０が設けられている。
【００２８】
第１液晶パネル６０は、スライド部１４の表側に設けられ、スライド部１４のスライド状態に拘らず、常に表示面が露出して、レンズ２１が捉えた被写体像やメニュー画面等を表示する。第１液晶パネル６０は常に露出しているため、メインの表示手段として使用される。
【００２９】
第２液晶パネル６４は、スライド部１４の裏側に設けられ、スライド部１４が矢印Ａ方向にスライドして本体１２の外側に突出した状態になると、本体１２の正面方向に表示面が露出される。第２液晶パネル６４は、第１液晶パネル６０と同様に、レンズ２１が捉えた被写体像等を表示するが、この第２液晶パネル６４では左右反転画像が表示される。第２液晶パネル６４は、スライド部１４が本体１２の外側方向にスライドしたとき以外は露出しないため、サブ表示手段として使用され、特に、自分撮りやセルフタイマ撮影等を行うときの画角合わせ時に使用される。
【００３０】
バックライト７０は、両面発光タイプのバックライトであり、スライド部１４の内部に設けられ、第１液晶パネル６０及び第２液晶パネル６４の各パネルの裏側から光を照射する。
【００３１】
このように、スライド部１４に背中合わせに設けられた第１液晶パネル６０と第２液晶パネル６４との間に、両面発光タイプのバックライト７０を挟み込みむことで、２つの透過型液晶ディスプレイが構成される。
【００３２】
図２は、スライド部１４を矢印Ａ方向にスライドさせて本体１２の外側に突出させた状態を示した図である。
【００３３】
図示されるように、スライド部１４の裏側に設けられた第２液晶パネル６４が、本体１２の正面方向に露出される。また、本体１２の背面には、操作ボタン５６ｃ、５６ｄ、５６ｅ、及び５６ｆが露出される。
【００３４】
操作ボタン５６ｃ、５６ｄ、５６ｅ、及び５６ｆは、基本的な撮影操作に関連しない機能を有するボタンであり、ここでは、動作モードの設定や撮影画像の圧縮率の設定等の各種セットアップを行うための操作ボタンとして使用する。
【００３５】
図３は、本実施の形態に係るデジタルカメラ１０の電気系の構成を示した構成図である。
【００３６】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３７】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３８】
なお、デジタル信号処理部３０は、所定容量のラインバッファを内蔵し、入力されたデジタルデータを後述するメモリ４８の所定領域に直接記憶させる制御も行う。
【００３９】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４０】
また、デジタルカメラ１０は、第１液晶パネル６０を駆動する第１液晶パネル駆動部６２と、第２液晶パネル６４を駆動する第２液晶パネル駆動部６６と、第１液晶パネル６０及び第２液晶パネル６４の各パネルに光を照射するバックライト７０を駆動するバックライト駆動部６８とを含んで構成されている。
【００４１】
また、デジタルカメラ１０は、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００４２】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００４３】
デジタル信号処理部３０、第１液晶パネル駆動部６２、第２液晶パネル駆動部６６、バックライト駆動部６８、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、第１液晶パネル６０及び第２液晶パネル６４に対する第１液晶パネル駆動部６２、第２液晶パネル駆動部６６、及びバックライト駆動部６８を介した各種情報の表示、メモリ４８及びメモリカード５２へのメモリインタフェース４６及び外部メモリインタフェース５０を介したアクセスを各々行うことができる。
【００４４】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４５】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４６】
更に、前述のレリーズボタン５６ａ、ズームボタン５６ｂ、及び操作ボタン５６ｃ、５６ｄ、５６ｅ、及び５６ｆ（同図では、「操作部５６」と総称。）はＣＰＵ４０に接続されており、ＣＰＵ４０は、これらの操作部５６に対する操作状態を常時把握できる。
【００４７】
以下、図１及び図２を参照しながら、本実施の形態のデジタルカメラ１０について更に詳細に説明する。
【００４８】
まず、不図示の電源スイッチが押下されると、デジタルカメラ１０の各部に対して電源が供給されスタンバイ状態となる。
【００４９】
通常の撮影を行う場合には、使用者は、図１に示されるように、スライド部１４を本体１２の内側に収納された状態にする。これにより、スライド部１４の裏側に設けられた第２液晶パネル６４は露出せず、スライド部１４の表側に設けられた第１液晶パネル６０のみが露出される。
【００５０】
この状態で、使用者がレンズ２１を被写体に向けると、レンズ２１を通過した被写体を示す入射光がＣＣＤ２４により受光され、被写体像を示すアナログ画像信号として出力される。
【００５１】
続いて、アナログ信号処理部２６はＣＣＤ２４から入力された信号に対して所定のアナログ信号処理を施す。このアナログ信号は、ＡＤＣ２８によりデジタル信号に変換される。ＡＤＣ２８から出力されたデジタル信号は、デジタル信号処理部３０に入力される。
【００５２】
本実施の形態では、第１液晶パネル６０をファインダとして使用することができるように構成されており、デジタル信号処理部３０で各種のデジタル信号処理が施されたデジタル信号は、第１液晶パネル駆動部６２を介して第１液晶パネル６０に動画像（スルー画像）として表示される。このとき、使用者は目視できないが第２液晶パネル６４にも第１液晶パネル６０と同様にスルー画像が表示される。
【００５３】
使用者は、第１液晶パネル６０に表示されたスルー画像を確認しながら画角を合わせることができる。使用者により、所望の画角に合わせたところでデジタルカメラ１０上面のレリーズボタン５６ａが半押しされると、ＡＥ（Automatic Exposure、自動露出）機能が働いて露出状態（シャッタースピード、絞りの状態）が設定され、ＡＦ（Auto Focus、自動合焦）機能が働いて合焦制御される。その後、引き続きレリーズボタン５６ａが全押しされると撮影が行われる。
【００５４】
自分撮りを行う場合には、使用者は、図２に示されるように、スライド部１４をスライドして本体１２の外側に突出させる。これにより、スライド部１４の裏側に設けられた第２液晶パネル６４がレンズ２１の撮影方向に露出する。
【００５５】
この状態で、使用者がレンズ２１を被写体である自分自身に向けると、レンズ２１を通過した被写体を示す入射光は、ＣＣＤ２４により受光され、その結果、上述した通常の撮影を行う場合と同様に、第１液晶パネル６０及び第２液晶パネル６４にスルー画像が表示される。
【００５６】
使用者は、第２液晶パネル６４に表示されたスルー画像を確認しながら画角を合わせることができる。なお、第２液晶パネル６４に表示される画像は左右反転画像であるため、使用者は、鏡を見るような間隔で画角合わせを行うことができる。使用者により、所望の画角に合わせたところでデジタルカメラ１０上面のレリーズボタン５６ａが半押しされると、ＡＥ機能が働いて露出状態が設定され、ＡＦ機能が働いて合焦制御される。その後、引き続きレリーズボタン５６ａが全押しされると撮影が行われる。
【００５７】
なお、セルフタイマ撮影を行う場合も自分撮りを行う場合と同様に、スライド部１４をスライドさせて第２液晶パネル６４を露出させ、第２液晶パネル６４に表示されたスルー画像を確認しながら画角合わせを行うことができる。
【００５８】
また、デジタルカメラ１０のセットアップを行う場合には、スライド部１４を本体１２の外側にスライドさせて、本体１２の背面上に設けられた操作ボタン５６ｃ、５６ｄ、５６ｅ、及び５６ｆを露出させる。使用者は、第１液晶パネル６０に表示されたセットアップメニュー等を確認しながら、操作ボタン５６ｃ、５６ｄ、５６ｅ、及び５６ｆを操作して、各種セットアップを行う。
【００５９】
以上説明したように、デジタルカメラ１０の背面にスライド部１４を設け、第２液晶パネル６４をスライド部１４がスライドしてデジタルカメラ１０の本体１２外側に突出したときにレンズ２１の撮影方向に露出するように設けたため、使用者は自分撮りやセルフタイマ撮影を行う場合には、スライド部１４をスライドさせて露出した第２液晶パネル６４に表示されたスルー画像を見ることができ、複雑な機構を要することなく簡便に画角合わせを行うことができる。
【００６０】
また、スライド部１４の表側に第１液晶パネル６０を設け、スライド部１４の裏側に第２液晶パネル６４を設けたため、液晶パネルを照射するバックライトを第１液晶パネル６０と第２液晶パネル６４とで共用でき、デジタルカメラ１０の小型化、製造コスト削減の点で有効である。
【００６１】
また、スライド部１４をスライドしたときに露出する本体１２の背面上に、基本的な撮影操作に関連しない（すなわち、頻繁には使用されない、操作の煩雑な）操作ボタンを設けたため、通常はスライド部１４を本体１２の内側に収納しておき、頻繁には使用されない、操作の煩雑な各種操作ボタンを隠しておけば、操作に不慣れな使用者に対しても、簡便な操作性を提供することができる。
【００６２】
なお、上述した実施の形態では、第１の表示手段及び第２の表示手段が、１つのバックライトと２つの液晶パネルとを用いた透過型液晶ディスプレイである例について説明したが、これに限定されるものではなく、例えば、反射型液晶ディスプレイであってもよい。また、第１の表示手段及び第２の表示手段を、１枚の反射型液晶ディスプレイで構成するようにしてもよい。具体的には、１枚の反射型液晶ディスプレイを構成する表示基盤と背面基盤とが等価に扱われるように構成し、いずれか一方を第１の表示手段として用い。他方を第２の表示手段として用いる。更に、２つの表示手段のうち使用者により目視される表示面のみが表示制御されるように構成する。例えば、通常撮影時には、スライド部１４の表側の表示面が表示制御され、自分撮りの時には、スライド部１４の裏側の表示面が表示制御されるように、予め表示制御する表示面を設定或いは自動的に切換えておくことが好ましい。
【００６３】
このような構成であっても、上記と同様の効果を得ることができる。
【００６４】
［第２の実施の形態］
本実施の形態では、第１の実施の形態のデジタルカメラ１０に光学ユニットを設けることにより、ＥＶＦ（電子ビューファインダ）を実現する例について説明する。
【００６５】
図４は、本実施の形態に係るデジタルカメラ１００の外観的な構成を示す構成図である。図示されるデジタルカメラ１００は、本体１２の背面に電子ビューファインダ接眼部１８が設けられ、本体１２の内部に光学ユニット１６が設けられている点を除いて、第１の実施の形態に係るデジタルカメラ１０の構成と同様であり、デジタルカメラ１０と同一の構成要素には、それぞれ同一の符号が付されている。
【００６６】
光学ユニット１６は、スライド部１４が本体１２内側に収納された状態において、第２液晶パネル６４に表示された画像を電子ビューファインダ接眼部１８から目視可能にするために設けられている。
【００６７】
Ｃ−Ｃ’線におけるデジタルカメラ１００の断面図に示されるように、光学ユニット１６は、２枚のミラー１６ａ、１６ｂ、及びレンズ１６ｃにより構成されている。
【００６８】
ＥＶＦ機能を実現する場合には、スライド部１４が本体１２内側に収納された状態にする。その状態で、第１の実施の形態で述べたように第２液晶パネル６４にスルー画像が表示されると、表示された画像はミラー１６ａにより、ミラー１６ｂ方向に反射される。反射された画像は、更にミラー１６ｂによりレンズ１６ｃ方向に反射され、レンズ１６ｃを通過して電子ビューファインダ接眼部１８に到達する。
【００６９】
なお、ここでは、第２液晶パネル６４は、表示されるスルー画像が上下反転して表示されるように表示制御される。従って、使用者は電子ビューファインダ接眼部１８を除くことにより、被写体画像の正立像を目視することができ、容易に画角を確認することができる。
【００７０】
この電子ビューファインダ機能は、直射日光等、デジタルカメラ１０の環境光が明るすぎる場合に、特に有効である。
【００７１】
デジタルカメラ１００の環境光が明るすぎる場合には、透過型液晶ディスプレイとして構成される第１液晶パネル６０に表示される画像が目視しにくくなるため、通常の撮影で第１液晶パネル６０を用いて画角合わせを行うことが困難となる。このような場合に、第２液晶パネル６４と光学ユニット１６とにより実現される電子ビューファインダを用いれば、環境光の明るさによらず画角を確認することができるため、容易に画角合わせを行うことができる。
【００７２】
以上説明したように、本実施の形態では本体１２に光学ユニット１６を設けたため、ＥＶＦ機能を実現することができる。
【００７３】
以上、本発明に係る様々な実施の形態を説明したが、本発明はこれら実施の形態に限定されるものではなく、特許請求の範囲に記載された範囲内で様々な設計上の変更を行うことができる。
【００７４】
例えば、本発明に係る携帯機器は上記デジタルカメラには限定されず、携帯電話、ＰＤＡ等、様々な携帯機器に適用可能である。
【００７５】
また、上述した各実施の形態では、スライド部１４に第１の表示手段（第１液晶パネル６０）と第２の表示手段（第２液晶パネル６４）とを背中合わせに設け、バックライトを共用する例について説明したが、例えば、各液晶パネルのそれぞれにバックライトを設け、第１の表示手段を本体１２に設け、第２の表示手段をスライド部１４に設けるような構成としてもよい。
【図面の簡単な説明】
【００７６】
【図１】第１の実施の形態に係るデジタルカメラの外観的な構成を示す構成図である。
【図２】スライド部を矢印Ａ方向にスライドさせて本体の外側に突出させた状態を示した図である。
【図３】第１の実施の形態に係るデジタルカメラの電気系の構成を示した構成図である。
【図４】第２の実施の形態に係るデジタルカメラの外観的な構成を示す構成図である。
【符号の説明】
【００７７】
１０、１００  デジタルカメラ
１２  本体
１４  スライド部
１６  光学ユニット
１８  電子ビューファインダ接眼部
２１  レンズ
５６ｃ、５６ｄ、５６ｅ、５６ｆ  操作ボタン
６０  第１液晶パネル
６４  第２液晶パネル
７０  バックライト
【図１】
2005051531.tif 000003
【図２】
2005051531.tif 000004
【図３】
2005051531.tif 000005
【図４】
2005051531.tif 000006